(57)【要約】【課題】複数のユーザ間で検討対象を共通認識として把握すると共に、検討対象について行われた検討内容を把握する作業を支援する。【解決手段】表示制御部１４１が、表示装置に表示された各々異なる検討内容が記述された複数のカードから選択された対象カードを、対象カードに対する選択状態が継続している期間、表示装置上に表示されている他のカードよりも大きな表示サイズで表示し、管理部１１１が、表示装置が配置された場所及び該場所に存在するユーザの少なくとも一方の状態を検出した検出情報のうち、選択状態が継続している期間に検出された検出情報を、対象カードと対応付けて記憶領域に記憶する。【選択図】図８
2018109893.tif 000002
【特許請求の範囲】
【請求項１】
表示装置に表示された各々異なる内容が記述された複数のカードから選択された対象カードを、該対象カードに対する選択状態が継続している期間、前記表示装置上に表示されている他のカードよりも大きな表示サイズで表示し、
前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する
ことを含む処理をコンピュータが実行することを特徴とする情報処理方法。
【請求項２】
カードを選択する第１の操作を受け付けてから、カードの選択を解除する第２の操作を受け付けるまでの期間を、前記選択状態が継続している期間とすることを特徴とする請求項１に記載の情報処理方法。
【請求項３】
前記第１の操作及び前記第２の操作の各々は、前記カード又は前記表示装置の所定の表示領域に対するタッチ、クリック、ダブルタッチ、ダブルクリック、ピンチ操作、又は長押しであることを特徴とする請求項２に記載の情報処理方法。
【請求項４】
ユーザの視線が所定時間以上滞留しているカード、所定人数以上のユーザの視線が向けられたカード、カードを特定するユーザの動作が検出されたカードを、前記対象カードとすることを特徴とする請求項１に記載の情報処理方法。
【請求項５】
複数の対象カードが選択された場合、選択された対象カードの数に応じて決定された表示サイズで前記選択された対象カードの各々を表示することを特徴とする請求項１〜請求項４のいずれか１項に記載の情報処理方法。
【請求項６】
１又は複数の対象カードの選択状態が継続している期間に、新たなカードが対象カードとして選択された場合、新たな対象カードを含め選択状態が継続している対象カードの数に応じて決定された表示サイズで前記新たな対象カードを表示すると共に、前記１又は複数の対象カードの表示サイズを調整して再表示することを特徴とする請求項５に記載の情報処理方法。
【請求項７】
出力指示を受け付けたことに応じて、前記記憶領域に記憶された対象カードが示す内容と、前記記憶領域に記憶された検出情報に関連する項目の情報とを、対応関係を視認可能な状態で出力することを特徴とする請求項１〜請求項６のいずれか１項に記載の情報処理方法。
【請求項８】
前記対象カードが示す内容と前記項目の情報とを出力する際、前記対象カードが選択された順に出力することを特徴とする請求項７に記載の情報処理方法。
【請求項９】
第１のタイミングで受け付けた出力指示に応じて出力された前記項目の情報に対する変更を受け付け、受け付けた変更内容で前記記憶領域に記憶された情報を更新し、
前記第１のタイミングよりも後の第２のタイミングで出力指示を受け付けると、第１の項目については、前記第２のタイミングまでに検出された検出情報に関連する情報を出力し、第２の項目については、前記第１のタイミングで受け付けた変更情報を出力する
ことを特徴とする請求項７又は請求項８に記載の情報処理方法。
【請求項１０】
表示装置に表示された各々異なる内容が記述された複数のカードから選択された対象カードを、該対象カードに対する選択状態が継続している期間、前記表示装置上に表示されている他のカードよりも大きな表示サイズで表示する表示制御部と、
前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する記憶制御部と、
を含むことを特徴とする情報処理装置。
【請求項１１】
表示装置に表示された各々異なる内容が記述された複数のカードから選択された対象カードを、該対象カードに対する選択状態が継続している期間、前記表示装置上に表示されている他のカードよりも大きな表示サイズで表示し、
前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する
ことを含む処理をコンピュータに実行させることを特徴とする情報処理プログラム。
【発明の詳細な説明】
【技術分野】
【０００１】
開示の技術は、情報処理方法、情報処理装置、及び情報処理プログラムに関する。
【背景技術】
【０００２】
例えば、ワークショップ形式のように複数のユーザが集まる場で、各ユーザの考えを十分に引き出して検討を深めさせ、最終的な考えをまとめるという一連の作業を行う場合がある。このような作業を支援する技術として、アイデアの発想や検討を支援するための材料をユーザに提示する技術が存在する。
【０００３】
アイデア発想に関連する技術として、アイデア発想者毎に、高い評価スコアのアイデアの発想が期待できる発想戦略を選択し、選択された発想戦略を使って発想を促す刺激を生成する方法が提案されている。この方法では、どの発想戦略を使った場合に高い評価スコアのアイデアが発想されたかを計算し、発想刺激と発想されたアイデアの評価スコアとの間の相関を計算し、発想刺激を生成するためのパラメータをパーソナライズする。
【０００４】
また、会議などの目標に対して、どの部分を話していたかをメンバー間で共有させる方法が提案されている。この方法では、テキスト変換したテキストを品詞レベルの単語に分解し、分解された単語に基づいて二次元図式で表される着想支援図を生成し、着想支援図への操作に基づいて、該操作に応じた処理を実行する。
【先行技術文献】
【特許文献】
【０００５】
【特許文献１】特開２０１０−２４４３３４号公報
【特許文献２】特開２０１４−１７４４６５号公報
【発明の概要】
【発明が解決しようとする課題】
【０００６】
何らかの材料を提示して、ユーザにアイデアを検討させたり、意見を表現させたりし、さらに検討を振り返ってまとめたり分析したりする作業を支援することを考える。このような場合、従来技術の方法では、検討の場において、何について検討すべきかということを複数のユーザ間で共通認識として持つことは困難である。また、従来技術では、検討の振り返りを行う際に、いずれの材料に対して、どのような状態でどのような検討が行われたかを把握することは困難である。
【０００７】
開示の技術は、一つの側面として、複数のユーザ間で検討対象を共通認識として把握すると共に、検討対象について行われた検討内容を把握する作業を支援することを目的とする。
【課題を解決するための手段】
【０００８】
開示の技術は、表示装置に表示された各々異なる検討内容が記述された複数のカードから選択された対象カードを、該対象カードに対する選択状態が継続している期間、前記表示装置上に表示されている他のカードよりも大きな表示サイズで表示する。そして、前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する。
【発明の効果】
【０００９】
一つの側面として、複数のユーザ間で検討対象を共通認識として把握すると共に、検討対象について行われた検討内容を把握する作業を支援することができる、という効果を有する。
【図面の簡単な説明】
【００１０】
【図１】本実施形態に係る情報処理システムの概略構成を示すブロック図である。
【図２】選択肢カードの一例を示す図である。
【図３】選択肢カード及びビジョンを説明するための図である。
【図４】背景の軸の他の例を示す図である。
【図５】背景の軸の他の例を示す図である。
【図６】ライブマップの一例を示す図である。
【図７】ライブマップの他の例を示す図である。
【図８】管理サーバの概略構成を示す機能ブロック図である。
【図９】カードデータベース（ＤＢ）の一例を示す図である。
【図１０】背景ＤＢの一例を示す図である。
【図１１】ビジョンＤＢの一例を示す図である。
【図１２】検出情報ＤＢの一例を示す図である。
【図１３】選択期間ＤＢの一例を示す図である。
【図１４】変更情報ＤＢの一例を示す図である。
【図１５】第１制御装置の概略構成を示す機能ブロック図である。
【図１６】第２制御装置の概略構成を示す機能ブロック図である。
【図１７】第３制御装置の概略構成を示す機能ブロック図である。
【図１８】管理サーバとして機能するコンピュータの概略構成を示すブロック図である。
【図１９】第１制御装置として機能するコンピュータの概略構成を示すブロック図である。
【図２０】第２制御装置として機能するコンピュータの概略構成を示すブロック図である。
【図２１】第３制御装置として機能するコンピュータの概略構成を示すブロック図である。
【図２２】第１管理処理の一例を示すフローチャートである。
【図２３】第２管理処理の一例を示すフローチャートである。
【図２４】第３管理処理の一例を示すフローチャートである。
【図２５】第１制御処理の一例を示すフローチャートである。
【図２６】選択肢カードの選択を説明するための図である。
【図２７】第２制御処理の一例を示すフローチャートである。
【図２８】検討フェーズ処理の一例を示すフローチャートである。
【図２９】検討対象の選択肢カードの選択及び拡大表示を説明するための図である。
【図３０】検討対象の選択肢カードを複数選択する場合を説明するための図である。
【図３１】検討対象の選択肢カードを複数選択する場合を説明するための図である。
【図３２】検討対象の選択肢カードを複数選択する場合を説明するための図である。
【図３３】第３制御処理の一例を示すフローチャートである。
【図３４】出力処理の一例を示すフローチャートである。
【図３５】レポートの一例を示す図である。
【図３６】検出情報の表示の他の例を説明するための図である。
【発明を実施するための形態】
【００１１】
以下、図面を参照して開示の技術に係る実施形態の一例を詳細に説明する。以下の実施形態では、例えば、ＩＣＴ（Information and Communication Technology）を活用し、社内外の問題解決を目指すワークショップにおいて、開示の技術が利用される場合を例に説明する。
【００１２】
図１に示すように、本実施形態に係る情報処理システム１００は、管理サーバ１１０と、第１制御装置１２０と、第１表示装置１３０と、第２制御装置１４０と、第２表示装置１５０と、第３制御装置１６０と、第３表示装置１７０とを含む。図１に示すように、少なくとも、第１表示装置１３０、第２表示装置１５０、及び第３表示装置１７０の各々は、情報処理システム１００により提供されるサービスを使用したワークショップが行われる室内１０１に配置される。また、室内１０１には、センシングデバイス１８０が設置され、ワークショップに参加するユーザ１０５の各々にも、センシングデバイス１８０が装着される。
【００１３】
管理サーバ１１０、第１制御装置１２０、第２制御装置１４０、及び第３制御装置１６０の各々は、ハブ１９０に接続されている。各装置とハブとの接続は、有線であっても無線であってもよい。また、第１制御装置１２０と第１表示装置１３０、第２制御装置１４０と第２表示装置１５０、及び第３制御装置１６０と第３表示装置１７０とはそれぞれ有線又は無線で接続される。
【００１４】
管理サーバ１１０は、一般的なサーバ装置、パーソナルコンピュータ等の情報処理装置である。管理サーバ１１０は、情報処理システム１００で用いられる各種情報を管理すると共に、第１制御装置１２０、第２制御装置１４０、及び第３制御装置１６０の各々に対し、各種処理の実行を指示する。
【００１５】
第１表示装置１３０は、複数の選択肢カード（詳細は後述）が表示される表示部と、表示された選択肢カードに対するユーザ１０５の操作を受け付ける操作部とを含む。第１表示装置１３０は、例えば、タッチパネルディスプレイで実現することができる。
【００１６】
第１制御装置１２０は、第１表示装置１３０の表示制御、第１表示装置１３０を介して受け付けた情報の処理、及び管理サーバ１１０との通信制御を行う。
【００１７】
第２表示装置１５０は、選択肢カードを用いてユーザ１０５の要望を表したビジョン（詳細は後述）が表示される表示部と、表示された選択肢カードに対するユーザ１０５の操作を受け付ける操作部とを含む。第２表示装置１５０は、例えば、タッチパネルディスプレイで実現することができる。
【００１８】
第２制御装置１４０は、第２表示装置１５０の表示制御、第２表示装置１５０を介して受け付けた情報の処理、及び管理サーバ１１０との通信制御を行う。
【００１９】
第３表示装置１７０は、センシングデバイス１８０で検出された検出情報を画像化したライブマップ（詳細は後述）が表示される表示部を含む。第３表示装置１７０は、例えば、液晶ディスプレイで実現することができる。
【００２０】
第３制御装置１６０は、第３表示装置１７０の表示制御、及び管理サーバ１１０との通信制御を行う。
【００２１】
センシングデバイス１８０は、ワークショップが行われる室内１０１及びワークショップに参加するユーザ１０５の少なくとも一方の状態を示す検出情報を検出するセンサ群である。室内１０１及びユーザ１０５の少なくとも一方の状態は、例えば、室内１０１の音圧、気圧、温度、湿度、ユーザ１０５の脈拍、体温、動作、位置、姿勢、発話内容などである。センシングデバイス１８０は、これらの状態を示す値を検出できるものであればよく、例えば、マイク、気圧センサ、温湿度センサ、バイタルセンサ、加速度センサ、位置センサなどで実現することができる。
【００２２】
本実施形態では、一例として、マイク１８０Ａ、１８０Ｄ、位置センサ１８０Ｂ、及びバイタルセンサ１８０Ｃをセンシングデバイス１８０として用いる例について説明する。マイク１８０Ａは、室内１０１の所定箇所に設置され、室内１０１の音圧を検出する。位置センサ１８０Ｂは、ユーザ１０５の位置を検出する。例えば、バッジタイプなどでユーザ１０５に装着可能なタグと、室内１０１の固定位置に設置されたビーコンとの間の通信の電波強度等を用いて、タグを装着したユーザ１０５の位置を測位する位置検出システムを位置センサ１８０Ｂとして用いることができる。なお、位置センサ１８０Ｂは、Global Positioning System（ＧＰＳ）やNear Field Communication（ＮＦＣ）を使用してユーザ１０５の位置を測位するものでもよい。また、室内１０１を撮影した画像を解析して、ユーザ１０５の位置を測位してもよい。バイタルセンサ１８０Ｃは、ユーザ１０５の脈拍を検出するセンサであり、例えば、パルスセンサをユーザ１０５の手首に密着させるように装着するリストバンドタイプのものを用いることができる。マイク１８０Ｄは、各ユーザ１０５に装着され、各ユーザ１０５の発話を示す音声データを検出する。
【００２３】
なお、センシングデバイス１８０としては、上記のように、１種類の検出情報を検出する個々のセンサを用いてもよいし、各種センサが複合的に搭載されたウェアラブルデバイスなどを用いてもよい。例えば、上記の位置センサ１８０Ｂに加速度センサも搭載し、ユーザ１０５の位置と共に、ユーザ１０５の姿勢も検出可能なセンシングデバイス１８０を用いてもよい。また、上記のバイタルセンサ１８０Ｃに気圧センサ及び温湿度センサも搭載し、ユーザ１０５の脈拍と共に、室内１０１の気圧、温度、及び湿度も検出するようにしてもよい。
【００２４】
ここで、選択肢カード、ビジョン、及びライブマップについて説明する。
【００２５】
選択肢カードは、ユーザ１０５がワークショップの目的に応じた検討の材料となる様々な選択肢の各々を、キーワードと、写真やイラストなどの画像とを用いて、電子的な１枚のカードで表したものである。図２に、選択肢カード１０の一例を示す。図２の例では、選択肢カード１０には、その選択肢カード１０が表す選択肢を示すキーワード１０Ｐと、イラスト１０Ｑとが含まれる。選択肢カード１０として表す選択肢には、様々な内容を採用することができ、例えば、施設に関するもの、働き方に関するもの、ＩＣＴを利用できそうなもの、ＩＣＴとは関係ないもの等を含むことができる。選択肢カード１０は、キーワード１０Ｐのみ、またはイラスト１０Ｑのみを含むものであってもよい。
【００２６】
選択肢カード１０は、選択肢の数だけ用意され、図３の上図に示すように、複数の選択肢カード１０が、ユーザ１０５による選択操作を含む操作を受付可能な状態で、第１表示装置１３０に表示される。ユーザ１０５は、第１表示装置１３０に表示された複数の選択肢カード１０を見て、興味を惹いた選択肢カード１０や、自身の意見に関連する選択肢カード１０など、検討対象とする選択肢カード１０を選択する。
【００２７】
ビジョンは、各ユーザ１０５に選択された選択肢カード１０を集約したものであり、ワークショップの目的などに応じて選択された背景上に、選択された選択肢カード１０が配置されたものである。図３の下図に示すように、背景１２は、タイトルが入力される領域１２Ａ、及び時間経過等を表す軸１２Ｂを含む。図３の下図の例では、軸１２Ｂの一例として、現在から将来へ向かう時間軸が用いられている。軸１２Ｂは、図３の下図の例に示すように、長期の時間軸を示すものに限定されず、「朝」、「昼」、「夜」のような１日の時間軸を示すものであってもよい。また、軸１２Ｂは、時間経過を表すものに限定されず、例えば、図４に示すように、「自社」、「関係会社」、「社会」のような役割の異なりを表すものであってもよい。また、図５に示すように、軸１２Ｂは、「研究」、「開発」、「製造」、「販売」のような業務の異なりを表すものであってもよい。その他にも、「オフィス内」、「別オフィス」、「社外」のように、場所の異なりを表す軸１２Ｂを用いてもよい。
【００２８】
このように、第２表示装置１５０に表示された背景１２上に、図３の下図に示すように、第１表示装置１３０上で選択された選択肢カード１０が表示される。ユーザ１０５は、軸１２Ｂを考慮して、表示された選択肢カード１０を、適切な位置に配置する。このように、軸１２Ｂを含む背景１２上に選択肢カード１０が配置されることにより、ワークショップの目的に応じたビジョンが描かれる。また、ビジョンへは、手書きツールを使用して描画を行うことも可能である。
【００２９】
ライブマップは、センシングデバイス１８０で検出された検出情報を画像化したものである。図６に、ライブマップの一例を示す。図６の例では、センシングデバイス１８０で検出された検出情報の時間経過に応じた変化が、時間を横軸とするグラフで表されている。より具体的には、図６の例では、ユーザ１０５毎の脈拍が折れ線グラフ１４Ａで表示され、室内１０１の音圧が棒グラフ１４Ｂで表示されている。なお、脈拍を示す折れ線グラフは、平滑化処理を加えて曲線で表している。音圧を示す棒グラフは、所定時間単位の音圧の平均や累積値などとすることができる。また、ライブマップには、図６に示すように、第２表示装置１５０上で選択された選択肢カード１０が、その選択肢カード１０の選択期間（詳細は後述）を示す描画１４Ｃと共に、上記グラフ上に表示される。また、図６の例では、検出情報の集計値等の情報１４Ｄも表示されている。
【００３０】
図７に、ライブマップの他の例を示す。図７の例では、第３表示装置１７０には、室内１０１のレイアウト図１４Ｅが表示されると共に、ユーザ１０５毎に異なるマーク１４Ｆ（図７の例では、○、×、△、□）で、ユーザ１０５毎の現在位置がレイアウト図１４Ｅ上に表示されている。また、図７に示すように、ユーザ１０５の移動軌跡１４Ｇ（図７の例では、点線矢印）を表示してもよい。
【００３１】
以下、情報処理システム１００の各装置について詳述する。
【００３２】
まず、管理サーバ１１０について説明する。図８に示すように、管理サーバ１１０は、機能部として、管理部１１１と、出力部１１２とを含む。また、管理サーバ１１０の所定の記憶領域には、カードデータベース（ＤＢ）１１４と、背景ＤＢ１１５と、ビジョンＤＢ１１６と、検出情報ＤＢ１１７と、選択期間ＤＢ１１８と、変更情報ＤＢ１１９とが記憶される。
【００３３】
ここで、管理サーバ１１０の所定の記憶領域に記憶される各種データベースについて説明する。
【００３４】
カードＤＢ１１４には、選択肢カード１０毎のカード情報が記憶される。図９に、カードＤＢ１１４の一例を示す。図９の例では、各行が１枚の選択肢カード１０についてのカード情報に相当する。各カード情報は、選択肢カード１０の識別情報である「カードＩＤ」、選択肢カード１０に表示される「キーワード」、選択肢カード１０に表示される写真やイラストなどの「画像データ」等の情報を含む。また、各カード情報は、選択肢カード１０を第１表示装置１３０に表示する際の「表示位置」の情報を含む。例えば、第１表示装置１３０の表示領域の左上角を原点とし、右方向がｘ軸プラスの方向、下方向がｙ軸プラスの方向となるｘｙ座標系を設定する。そして、選択肢カード１０の所定箇所（例えば、左上角）の表示位置を、第１表示装置１３０の表示領域に設定したｘｙ座標系の座標値を用いて表すことができる。
【００３５】
背景ＤＢ１１５には、第２表示装置１５０に表示する背景１２の各々の情報が記憶される。図１０に、背景ＤＢ１１５の一例を示す。図１０の例では、各行が１つの背景１２についての背景情報に相当する。各背景情報は、背景１２の識別情報である「背景ＩＤ」、軸１２Ｂを含む背景１２の「画像データ」等の情報を含む。
【００３６】
ビジョンＤＢ１１６には、第２表示装置１５０において、ユーザ１０５により作成されたビジョンの情報が記憶される。図１１に、ビジョンＤＢ１１６の一例を示す。図１１の例では、各行が１つのビジョンを示すビジョン情報に相当する。各ビジョン情報は、ビジョンの識別情報である「ビジョンＩＤ」、ビジョンを作成したユーザグループの識別情報である「ユーザグループＩＤ」、及び第２表示装置１５０に表示されている背景１２の「背景ＩＤ」の情報を含む。また、ビジョン情報は、ビジョンに含まれる選択肢カード１０の「カードＩＤ」、選択肢カード１０が背景１２上のどの位置に表示されたかを示す「表示位置」等の情報を含む。「表示位置」は、上述した第１表示装置１３０上に表示される選択肢カード１０の表示位置と同様に、第２表示装置１５０に表示された背景１２領域に設定されたｘｙ座標系の座標値を用いて表すことができる。ビジョン情報は、さらに、テキストデータとして入力された「タイトル」、手書きツールを使用して描画された画像を示す「手書きデータ」等の情報を含む。なお、タイトルについても、手書きデータとして入力することも可能である。
【００３７】
１つのユーザグループが、複数種類のビジョンを作成した場合には、そのユーザグループのユーザグループＩＤと対応づけて、異なる複数のビジョンＩＤの各々に対応付けられた複数のビジョン情報が記憶されることになる。なお、異なるビジョンとは、背景１２、選択された選択肢カード１０、背景１２に対する選択肢カード１０の配置、手書き描画等のいずれかが異なる場合である。
【００３８】
ビジョンＤＢ１１６には、図１１に例示した以外のデータ項目をビジョンＩＤと対応づけて記憶してもよい。例えば、ビジョンが記憶された日時を示す情報を記憶してもよい。
【００３９】
検出情報ＤＢ１１７には、各センシングデバイス１８０で、サンプリング時間毎に検出された検出情報、又は所定のデータ処理が施された検出情報が、時間情報と対応付けて時系列に記憶される。図１２に、検出情報ＤＢ１１７の一例を示す。図１２の例では、検出情報ＤＢ１１７には、音圧テーブル１１７Ａと、位置情報テーブル１１７Ｂと、脈拍テーブル１１７Ｃと、発話内容テーブル１１７Ｄとが含まれる。音圧テーブル１１７Ａは、マイク１８０Ａで検出された音圧が記憶されるテーブルである。位置情報テーブル１１７Ｂは、各ユーザ１０５に装着された位置センサ１８０Ｂの各々で検出されたユーザ１０５毎の位置情報が記憶されるテーブルである。脈拍テーブル１１７Ｃは、各ユーザ１０５に装着されたバイタルセンサ１８０Ｃの各々で検出されたユーザ１０５毎の脈拍が記憶されるテーブルである。
【００４０】
発話内容テーブル１１７Ｄは、マイク１８０Ｄで集音された音声データを音声認識した発話内容を表すテキストデータが、その発話の発話者（ユーザ）のユーザＩＤと対応付けて記憶されるテーブルである。発話者は、各ユーザ１０５に装着されるマイク１８０Ｄとユーザとの対応関係を予め登録しておき、どのマイク１８０Ｄから取得した音声データであるかに基づいて識別することができる。
【００４１】
選択期間ＤＢ１１８には、第２表示装置１５０上で検討対象として選択肢カード１０が選択された際に、その選択状態が継続している選択期間を示す選択期間情報が記憶される。図１３に、選択期間ＤＢ１１８の一例を示す。図１３の例では、各行が１つの選択期間情報に相当する。各選択期間情報は、検討対象の選択肢カード１０として選択された選択肢カード１０の「カードＩＤ」、その選択肢カード１０が第２表示装置１５０上で選択された時間情報を示す「選択開始」、選択が解除された時間情報を示す「選択終了」の情報を含む。すなわち、「選択開始」から「選択終了」までの期間が、「カードＩＤ」で示される選択肢カード１０の選択期間である。
【００４２】
変更情報ＤＢ１１９には、後述する出力部１１２で作成されるレポートに対して行われた変更内容が記憶される。図１４に、変更情報ＤＢ１１９の一例を示す。図１４の例では、各行が１つの変更内容を示す変更情報に相当する。各変更情報は、「カードＩＤ」、「項目」、及び「変更内容」の情報を含む。詳細は後述するが、本実施形態では、レポートには、検討対象となった選択肢カード１０と、その選択肢カード１０の選択期間に検出された検出情報に基づく項目とが対応付けて表示される。そこで、変更箇所を特定する情報として、「カードＩＤ」及び「項目」の情報が用いられる。
【００４３】
なお、本実施形態では、レポートに対する変更として、主に、発話内容に対する変更を想定している。より具体的には、発話内容は、マイク１８０Ｄで検出された音声データを音声認識して得られるデータであるため、音声認識の誤りなどを含む場合があり、このような誤りを手入力などにより修正する場合を想定している。
【００４４】
本実施形態では、検出情報ＤＢ１１７、選択期間ＤＢ１１８、及び変更情報ＤＢ１１９の各々は、ワークショップ毎に設けられる場合について説明する。なお、検出情報ＤＢ１１７、選択期間ＤＢ１１８、及び変更情報ＤＢ１１９の各々に、複数のワークショップで得られる情報を、ワークショップの識別情報を付与して記憶してもよい。
【００４５】
次に、管理サーバ１１０の各機能部について説明する。
【００４６】
管理部１１１は、情報処理システム１００により提供されるサービスの開始が指示されると、カードＤＢ１１４から各選択肢カード１０のカード情報を取得し、取得したカード情報を第１制御装置１２０へ送信する。
【００４７】
また、管理部１１１は、背景ＤＢ１１５からいずれかの背景情報を取得し、第２制御装置１４０へ送信する。第２制御装置１４０へ送信する背景情報は、予め定めた背景情報であってもよいし、ランダムに選択した背景情報であってもよいし、ユーザ１０５により選択された背景情報であってもよい。
【００４８】
また、管理部１１１は、各センシングデバイス１８０で検出された検出情報を取得し、検出情報ＤＢ１１７に記憶すると共に、第３制御装置１６０へ送信する。なお、管理部１１１は、マイク１８０Ｄから取得した音声データについては、音声認識処理により、発話内容を示すテキストデータに変換し、発話者のユーザＩＤ、及び発話された時間情報と共に発話内容テーブル１１７Ｄに記憶する。
【００４９】
また、管理部１１１は、第２制御装置１４０から送信された選択期間情報を受信すると、受信した選択期間情報を選択期間ＤＢ１１８に記憶する。選択期間ＤＢ１１８に記憶される時間情報（「選択開始」及び「選択終了」）は、上述の検出情報ＤＢ１１７の各テーブルに記憶される時間情報と同一の基準で表される時間情報とする。例えば、現在時刻や、ワークショップ開始時からの経過時間等を時間情報として用いることができる。これにより、時間情報を介して、第２表示装置１５０上から検討対象として選択された選択肢カード１０及びその選択期間と、その選択期間に検出された検出情報とが対応付けて記憶されることになる。
【００５０】
また、管理部１１１は、第２制御装置１４０から送信されたビジョン情報を受信すると、受信したビジョン情報にビジョンＩＤを付与して、ビジョンＤＢ１１６に記憶する。
【００５１】
出力部１１２は、レポート出力指示を受け付けると、ワークショップで検討された内容を示すレポートを作成し、表示部に表示したり、プリンタで紙媒体に印字したりするなどして出力する。
【００５２】
具体的には、出力部１１２は、選択期間ＤＢ１１８に記憶された各選択期間情報に含まれるカードＩＤに対応するカード情報をカードＤＢ１１４から取得する。出力部１１２は、取得したカード情報が示す選択肢カード１０を、選択期間ＤＢ１１８の「選択開始」が示す時間情報の時系列順に並べて配置したレポートを作成する。また、出力部１１２は、レポートに配置した選択肢カード１０毎に、各選択肢カード１０の選択期間を選択期間ＤＢ１１８の「選択開始」及び「選択終了」から特定する。出力部１１２は、特定した選択期間に検出された検出情報を検出情報ＤＢ１１７から取得し、レポート上の選択肢カード１０に、各検出情報に関連する項目の情報を対応付けて表示する。検出情報に関連する項目の情報とは、検出情報そのものや、検出情報を選択期間単位で集計した情報等である。
【００５３】
また、出力部１１２は、作成したレポートに対する変更を受け付け、受け付けた変更情報を変更情報ＤＢ１１９に記憶する。レポートは、ワークショップの途中や終了後など、様々なタイミングで何度でも出力することができる。出力部１１２は、レポート出力指示を受け付けた時点で検出情報ＤＢ１１７及び選択期間ＤＢ１１８に記憶されている情報に基づいてレポートを作成する。ただし、出力部１１２は、変更情報ＤＢ１１９に変更情報が記憶されている項目については、変更情報ＤＢ１１９に記憶された変更情報を反映したレポートを作成する。
【００５４】
具体的には、出力部１１２は、第１のタイミングでレポートを作成し、そのレポート内のある選択肢カード１０に対応付けて表示された発話内容に対する変更を受け付けたとする。この場合、出力部１１２は、その選択肢カード１０のカードＩＤ、及び項目「発話内容」に対応付けて、変更内容を変更情報ＤＢ１１９に記憶する。そして、第１のタイミングの後の第２のタイミングで再びレポート作成指示を受け付けると、検出情報ＤＢ１１７及び選択期間ＤＢ１１８に記憶されている情報に基づいて再びレポートを作成する。そして、出力部１１２は、変更情報ＤＢ１１９に記憶されている「カードＩＤ」及び「項目」で特定される変更箇所を「変更内容」の内容で更新する。したがって、変更情報ＤＢ１１９に変更内容が記憶されている箇所については、レポートを作成するタイミングに関わらず、変更された内容がレポートに反映される。変更情報ＤＢ１１９に変更内容が記憶されていない箇所については、レポートを作成するタイミングで検出情報ＤＢ１１７及び選択期間ＤＢ１１８に記憶されている最新の情報がレポートに反映される。
【００５５】
次に、第１制御装置１２０について説明する。図１５に示すように、第１制御装置１２０は、機能部として、表示制御部１２１と、検出部１２２とを含む。
【００５６】
表示制御部１２１は、管理サーバ１１０から送信されたカード情報を受信し、カード情報が示す選択肢カード１０の各々が、第１表示装置１３０に表示されるように制御する。各選択肢カード１０の表示サイズは、予め定めたサイズとしてもよいし、第１表示装置１３０に所定枚数の選択肢カード１０が表示されるように計算されたサイズとしてもよい。
【００５７】
検出部１２２は、第１表示装置１３０に表示された選択肢カード１０に対するユーザ１０５の選択操作を検出する。具体的には、検出部１２２は、ユーザ１０５による選択肢カード１０へのタッチの継続時間が所定時間（例えば、３秒）を経過したか否かを検出する。検出部１２２は、タッチの継続時間が所定時間を経過したことを検出すると、タッチされた選択肢カード１０のカード情報を、第２制御装置１４０へ転送する。
【００５８】
次に、第２制御装置１４０について説明する。図１６に示すように、第２制御装置１４０は、機能部として、表示制御部１４１と、受付部１４２と、作成部１４３とを含む。
【００５９】
表示制御部１４１は、管理サーバ１１０から送信された背景情報を受信すると、受信した背景情報が示す背景１２を第２表示装置１５０に表示する。また、表示制御部１４１は、第１制御装置１２０からカード情報を受信すると、受信したカード情報が示す選択肢カード１０を、背景１２上に表示する。選択肢カード１０を表示する位置はランダムに決定してもよいし、予め定めた位置に表示してもよい。
【００６０】
また、表示制御部１４１は、受付部１４２から、受付情報（詳細は後述）を通知されると、受付情報に基づいて、選択肢カード１０の表示位置、表示サイズ、及び角度の変更、入力されたテキストデータの表示、描画された画像の表示等を行う。
【００６１】
また、表示制御部１４１は、受付部１４２から、検討対象の選択肢カード１０の選択情報（詳細は後述）を通知されると、選択情報が示す選択肢カード１０を、第２表示装置１５０上に表示されている他の選択肢カード１０よりも表示サイズを大きくし、画面中央に配置する。これにより、ワークショップに参加しているユーザ１０５に対して、現在検討対象となっている選択肢カード１０の視認性が向上し、検討対象の選択肢カード１０を把握し易くなる。
【００６２】
また、表示制御部１４１は、受付部１４２から、検討対象の選択肢カード１０の選択解除情報（詳細は後述）を通知されると、選択解除情報が示す選択肢カード１０を、検討対象として選択される前の表示サイズ及び配置に戻す。
【００６３】
受付部１４２は、第２表示装置１５０に表示された選択肢カード１０の表示位置の変更、表示サイズの変更、角度の変更、テキストデータの入力、手書きツールを利用した描画等のユーザ１０５の操作を受け付ける。受付部１４２は、受け付けたユーザ１０５の操作の内容を示す受付情報を表示制御部１４１に通知する。
【００６４】
また、受付部１４２は、第２表示装置１５０に表示された選択肢カード１０に対して、検討対象として選択するための予め定められた第１の操作を受け付けた場合には、選択された選択肢カード１０のカードＩＤを含む選択情報を表示制御部１４１に通知する。同様に、受付部１４２は、検討対象としての選択を解除するための予め定められた第２の操作を受け付けた場合には、選択された選択肢カード１０のカードＩＤを含む選択解除情報を表示制御部１４１に通知する。第１の操作及び第２の操作としては、選択肢カード１０に対するタッチ、クリック、ダブルタッチ、ダブルクリック、ピンチ操作、長押しのいずれかを予め定めておくことができる。また、選択肢カード１０をタッチしてメニューを表示させ、検討対象として選択すること又は選択を解除することを示す項目をメニューから選択する操作を、第１の操作及び第２の操作として予め定めておいてもよい。また、選択を解除するための第２の操作としては、表示装置１５０に表示されている部分で、選択肢カード１０以外の場所に対して、タッチ、クリック、ダブルタッチ、ダブルクリック、ピンチ操作、長押しなどのいずれかの定められた操作としてもよい。
【００６５】
また、受付部１４２は、第１の操作を受け付けた場合、検討対象として選択された選択肢カード１０のカードＩＤと、選択された時間情報とを含む選択開始を示す選択期間情報を管理サーバ１１０へ送信する。また、受付部１４２は、第２の操作を受け付けた場合、検討対象としての選択が解除された選択肢カード１０のカードＩＤと、選択が解除された時間情報とを含む選択終了を示す選択期間情報を管理サーバ１１０へ送信する。
【００６６】
また、受付部１４２は、第１の操作を受け付けた場合、検討対象として選択された選択肢カード１０のカード情報と、選択開始を示す時間情報とを第３制御装置１６０へ送信する。また、受付部１４２は、第２の操作を受け付けた場合、検討対象としての選択が解除された選択肢カード１０のカードＩＤと、選択終了を示す時間情報とを管理サーバ１１０へ送信する。
【００６７】
作成部１４３は、ユーザ１０５によりビジョンの確定が指示されると、第２表示装置１５０に表示された背景１２上での各選択肢カード１０の表示位置を取得する。そして、作成部１４３は、第２表示装置１５０に表示されている背景１２の背景ＩＤ、選択肢カード１０のカードＩＤ、求めた各選択肢カード１０の表示位置、入力されたテキストデータ、及び描画された手書きデータを含むビジョン情報を作成する。作成部１４３は、ログイン情報や本システム利用時の登録情報などから、ビジョンを作成したユーザグループのユーザグループＩＤを取得し、作成したビジョン情報にユーザグループＩＤを付加して、管理サーバ１１０へ送信する。
【００６８】
次に、第３制御装置１６０について説明する。図１７に示すように、第３制御装置１６０は、機能部として、表示制御部１６１を含む。
【００６９】
表示制御部１６１は、管理サーバ１１０から送信された検出情報を受信すると、受信した検出情報を画像化し、第３表示装置１７０にライブマップとして表示する。具体的には、検出情報（音圧及び脈拍）をグラフ化したライブマップ（例えば、図６）を表示する場合には、表示制御部１６１は、既に受信済みの検出情報に基づいて表示されているグラフに、新たに受信した検出情報が示す部分を追加表示する。表示制御部１６１は、追加表示する際、受信した検出情報に対して、既に受信済みの検出情報を用いた平滑化等の処理を行ってもよい。新たに検出情報が受信される毎に、その検出情報が示す部分をグラフに追加することで、検出情報の時間経過に伴う変化の様子をリアルタイムに表示することができる。
【００７０】
また、ユーザ１０５の位置情報を示すライブマップ（例えば、図７）を表示する場合には、表示制御部１６１は、検出情報として受信した位置情報に対応するレイアウト図１４Ｅ上の座標値を計算する。表示制御部１６１は、計算した座標値に、該当のユーザ１０５に割り当てたマーク１４Ｆを表示する。時々刻々変化する位置情報に基づいてライブマップを表示することで、ユーザ１０５の移動の様子をリアルタムに表示することができる。また、過去の位置情報を時系列に辿ることで、ユーザ１０５の移動軌跡を取得することもできる。
【００７１】
また、表示制御部１６１は、第２制御装置１４０から送信されたカード情報及び選択開始を示す時間情報を受信すると、受信したカード情報が示す選択肢カード１０を、選択開始を示す時間情報に対応するライブマップ上の位置に表示する。また、表示制御部１６１は、選択肢カード１０の表示位置から、その選択肢カード１０の選択期間を示す描画１４Ｃを表示し、時間経過と共に、選択期間を示す描画１４Ｃを延伸させる。また、表示制御部１６１は、第２制御装置１４０から送信されたカードＩＤ及び選択終了を示す時間情報を受信すると、該当の選択肢カード１０の選択期間を示す描画１４Ｃの延伸を、その時間情報が示す位置で停止する。
【００７２】
なお、表示制御部１６１は、図６に示すライブマップと、図７に示すライブマップとを、第３表示装置１７０上で切り替え可能に表示してもよいし、２画面で同時に表示してもよい。また、第３表示装置１７０を、図６に示すライブマップ用と、図７に示すライブマップ用との２台設けるようにしてもよい。また、表示制御部１６１は、検出情報の１つである発話内容を示すテキストデータを第３表示装置１７０に表示してもよい。
【００７３】
管理サーバ１１０は、例えば図１８に示すコンピュータ２０で実現することができる。コンピュータ２０は、Central Processing Unit（ＣＰＵ）２１と、一時記憶領域としてのメモリ２２と、不揮発性の記憶部２３とを備える。また、コンピュータ２０は、入出力装置２４と、記録媒体２９に対するデータの読み込み及び書き込みを制御するRead/Write（Ｒ／Ｗ）部２５と、インターネット等のネットワークに接続されるネットワークインターフェース（Ｉ／Ｆ）２６とを備える。ＣＰＵ２１、メモリ２２、記憶部２３、入出力装置２４、Ｒ／Ｗ部２５、及びネットワークＩ／Ｆ２６は、バス２７を介して互いに接続される。
【００７４】
記憶部２３は、Hard Disk Drive（ＨＤＤ）、solid state drive（ＳＳＤ）、フラッシュメモリ等によって実現できる。記憶媒体としての記憶部２３には、コンピュータ２０を管理サーバ１１０として機能させるための管理プログラム３０が記憶される。管理プログラム３０は、管理プロセス３１と、出力プロセス３２とを有する。また、記憶部２３は、カードＤＢ１１４、背景ＤＢ１１５、ビジョンＤＢ１１６、検出情報ＤＢ１１７、選択期間ＤＢ１１８、及び変更情報ＤＢ１１９の各々を構成する情報が記憶される情報記憶領域３４を有する。
【００７５】
ＣＰＵ２１は、管理プログラム３０を記憶部２３から読み出してメモリ２２に展開し、管理プログラム３０が有するプロセスを順次実行する。ＣＰＵ２１は、管理プロセス３１を実行することで、図８に示す管理部１１１として動作する。また、ＣＰＵ２１は、出力プロセス３２を実行することで、図８に示す出力部１１２として動作する。また、ＣＰＵ２１は、情報記憶領域３４から情報を読み出して、カードＤＢ１１４、背景ＤＢ１１５、ビジョンＤＢ１１６、検出情報ＤＢ１１７、選択期間ＤＢ１１８、及び変更情報ＤＢ１１９の各々をメモリ２２に展開する。これにより、管理プログラム３０を実行したコンピュータ２０が、管理サーバ１１０として機能することになる。なお、プログラムを実行するＣＰＵ２１はハードウェアである。
【００７６】
第１制御装置１２０は、例えば図１９に示すコンピュータ４０で実現することができる。コンピュータ４０は、ＣＰＵ４１と、一時記憶領域としてのメモリ４２と、不揮発性の記憶部４３とを備える。また、コンピュータ４０は、記録媒体４９に対するデータの読み込み及び書き込みを制御するＲ／Ｗ部４５と、ネットワークＩ／Ｆ４６とを備える。ＣＰＵ４１、メモリ４２、記憶部４３、Ｒ／Ｗ部４５、及びネットワークＩ／Ｆ４６は、バス４７を介して互いに接続される。また、コンピュータ４０は、ネットワークＩ／Ｆ４６を介して、第１表示装置１３０と接続される。
【００７７】
記憶部４３は、ＨＤＤ、ＳＳＤ、フラッシュメモリ等によって実現できる。記憶媒体としての記憶部４３には、コンピュータ４０を第１制御装置１２０として機能させるための第１制御プログラム５０が記憶される。第１制御プログラム５０は、表示制御プロセス５１と、検出プロセス５２とを有する。
【００７８】
ＣＰＵ４１は、第１制御プログラム５０を記憶部４３から読み出してメモリ４２に展開し、第１制御プログラム５０が有するプロセスを順次実行する。ＣＰＵ４１は、表示制御プロセス５１を実行することで、図１５に示す表示制御部１２１として動作する。また、ＣＰＵ４１は、検出プロセス５２を実行することで、図１５に示す検出部１２２として動作する。これにより、第１制御プログラム５０を実行したコンピュータ４０が、第１制御装置１２０として機能することになる。なお、プログラムを実行するＣＰＵ４１はハードウェアである。
【００７９】
第２制御装置１４０は、例えば図２０に示すコンピュータ６０で実現することができる。コンピュータ６０は、ＣＰＵ６１と、一時記憶領域としてのメモリ６２と、不揮発性の記憶部６３とを備える。また、コンピュータ６０は、記録媒体６９に対するデータの読み込み及び書き込みを制御するＲ／Ｗ部６５と、ネットワークＩ／Ｆ６６とを備える。ＣＰＵ６１、メモリ６２、記憶部６３、Ｒ／Ｗ部６５、及びネットワークＩ／Ｆ６６は、バス６７を介して互いに接続される。また、コンピュータ６０は、ネットワークＩ／Ｆ６６を介して、第２表示装置１５０と接続される。
【００８０】
記憶部６３は、ＨＤＤ、ＳＳＤ、フラッシュメモリ等によって実現できる。記憶媒体としての記憶部６３には、コンピュータ６０を第２制御装置１４０として機能させるための第２制御プログラム７０が記憶される。第２制御プログラム７０は、表示制御プロセス７１と、受付プロセス７２と、作成プロセス７３とを有する。
【００８１】
ＣＰＵ６１は、第２制御プログラム７０を記憶部６３から読み出してメモリ６２に展開し、第２制御プログラム７０が有するプロセスを順次実行する。ＣＰＵ６１は、表示制御プロセス７１を実行することで、図１６に示す表示制御部１４１として動作する。また、ＣＰＵ６１は、受付プロセス７２を実行することで、図１６に示す受付部１４２として動作する。また、ＣＰＵ６１は、作成プロセス７３を実行することで、図１６に示す作成部１４３として動作する。これにより、第２制御プログラム７０を実行したコンピュータ６０が、第２制御装置１４０として機能することになる。なお、プログラムを実行するＣＰＵ６１はハードウェアである。
【００８２】
第３制御装置１６０は、例えば図２１に示すコンピュータ８０で実現することができる。コンピュータ８０は、ＣＰＵ８１と、一時記憶領域としてのメモリ８２と、不揮発性の記憶部８３とを備える。また、コンピュータ８０は、記録媒体８９に対するデータの読み込み及び書き込みを制御するＲ／Ｗ部８５と、ネットワークＩ／Ｆ８６とを備える。ＣＰＵ８１、メモリ８２、記憶部８３、Ｒ／Ｗ部８５、及びネットワークＩ／Ｆ８６は、バス８７を介して互いに接続される。また、コンピュータ８０は、ネットワークＩ／Ｆ８６を介して、第３表示装置１７０と接続される。
【００８３】
記憶部８３は、ＨＤＤ、ＳＳＤ、フラッシュメモリ等によって実現できる。記憶媒体としての記憶部８３には、コンピュータ８０を第３制御装置１６０として機能させるための第３制御プログラム９０が記憶される。第３制御プログラム９０は、表示制御プロセス９１を有する。
【００８４】
ＣＰＵ８１は、第３制御プログラム９０を記憶部８３から読み出してメモリ８２に展開し、第３制御プログラム９０が有するプロセスを実行する。ＣＰＵ８１は、表示制御プロセス９１を実行することで、図１７に示す表示制御部１６１として動作する。これにより、第３制御プログラム９０を実行したコンピュータ８０が、第３制御装置１６０として機能することになる。なお、プログラムを実行するＣＰＵ８１はハードウェアである。
【００８５】
なお、管理プログラム３０、第１制御プログラム５０、第２制御プログラム７０、及び第３制御プログラム９０の各々により実現される機能は、例えば半導体集積回路で実現することも可能である。より詳しくはApplication Specific Integrated Circuit（ＡＳＩＣ）等で実現することができる。
【００８６】
次に、本実施形態に係る情報処理システム１００の作用について説明する。情報処理システム１００により提供されるサービスの開始が指示されると、管理サーバ１１０において、図２２に示す第１管理処理が実行される。また、管理サーバ１１０では、図２３に示す第２管理処理、図２４に示す第３管理処理、及び図３４に示す出力処理も実行される。また、第１制御装置１２０において、図２５に示す第１制御処理が実行される。また、第２制御装置１４０において、図２７に示す第２制御処理が実行される。さらに、第３制御装置１６０において、図３３に示す第３制御処理が実行される。以下、各処理について詳述する。なお、第１管理処理、第２管理処理、第３管理処理、出力処理、第１制御処理、第２制御処理、及び第３制御処理は、開示の技術の情報処理方法の一例である。
【００８７】
まず、図２２に示す第１管理処理について説明する。ステップＳ１１で、管理部１１１が、カードＤＢ１１４から各選択肢カード１０のカード情報を取得する。そして、管理部１１１は、取得したカード情報を第１制御装置１２０へ送信する。
【００８８】
次に、ステップＳ１２で、管理部１１１が、背景ＤＢ１１５からいずれかの背景情報を取得し、第２制御装置１４０へ送信する。
【００８９】
次に、ステップＳ１３で、管理部１１１が、各センシングデバイス１８０で検出された検出情報を取得する。管理部１１１は、マイク１８０Ｄから検出した音声データについては、音声認識処理を行って発話内容を示す検出情報を取得する。管理部１１１は、取得した検出情報を検出情報ＤＢ１１７に記憶する。次に、ステップＳ１４で、管理部１１１が、取得した検出情報を第３制御装置１６０へ送信する。
【００９０】
次に、ステップＳ１５で、管理部１１１が、情報処理システム１００により提供されるサービスの終了が指示されたか否かを判定し、終了が指示されていない場合には、処理はステップＳ１３に戻り、終了が指示された場合には、第１管理処理は終了する。
【００９１】
次に、図２３に示す第２管理処理について説明する。
【００９２】
ステップＳ２１で、管理部１１１が、第２制御装置１４０から送信された選択期間情報を受信したか否かを判定する。選択期間情報を受信していない場合には、本ステップの判定を繰り返す。選択期間情報を受信した場合には、処理はステップＳ２２へ移行する。
【００９３】
ステップＳ２２では、管理部１１１が、受信した選択期間情報が選択開始を示す選択期間情報の場合には、選択期間情報に含まれるカードＩＤ及び時間情報を、新たな行（レコード）として選択期間ＤＢ１１８に記憶する。この際、時間情報は「選択開始」欄に記憶される。受信した選択期間情報が選択終了を示す選択期間情報の場合には、管理部１１１は、選択期間情報に含まれるカードＩＤに対応する選択期間ＤＢ１１８の行の「選択終了」欄に、受信した時間情報を記憶する。
【００９４】
次に、ステップＳ２３で、管理部１１１が、情報処理システム１００により提供されるサービスの終了が指示されたか否かを判定し、終了が指示されていない場合には、処理はステップＳ２１に戻る。終了が指示されている場合には、第２管理処理は終了する。
【００９５】
次に、図２４に示す第３管理処理について説明する。
【００９６】
ステップＳ３１で、管理部１１１が、第２制御装置１４０から送信されたビジョン情報を受信したか否かを判定する。ビジョン情報を受信していない場合には、本ステップの判定を繰り返す。ビジョン情報を受信した場合には、処理はステップＳ３２へ移行し、管理部１１１が、受信したビジョン情報にビジョンＩＤを付与して、ビジョンＤＢ１１６に記憶する。
【００９７】
次に、ステップＳ３３で、管理部１１１が、情報処理システム１００により提供されるサービスの終了が指示されたか否かを判定し、終了が指示されていない場合には、処理はステップＳ３１に戻る。終了が指示されている場合には、第３管理処理は終了する。
【００９８】
次に、図２５に示す第１制御処理について説明する。第１制御処理は、管理サーバ１１０から送信されたカード情報を第１制御装置１２０が受信すると開始する。
【００９９】
ステップＳ４１で、表示制御部１２１が、受信したカード情報が示す選択肢カード１０の各々が、第１表示装置１３０に表示されるように制御する。
【０１００】
次に、ステップＳ４２で、検出部１２２が、第１表示装置１３０に表示された選択肢カード１０が、ユーザ１０５によりタッチされたか否かを判定する。図２６に、選択肢カード１０が表示された第１表示装置１３０の表示領域の一部の一例を示す。図２６に示すように、いずれかの選択肢カード１０がユーザ１０５によりタッチされたことが検出されると、処理はステップＳ４３へ移行し、タッチが検出されない場合には、処理はステップＳ４６へ移行する。
【０１０１】
ステップＳ４３では、検出部１２２が、選択肢カード１０に対するタッチが継続しているか否かを判定する。タッチが継続している場合には、処理はステップＳ４４へ移行し、継続していない場合には、処理はステップＳ４６へ移行する。
【０１０２】
ステップＳ４４では、検出部１２２が、選択肢カード１０へのタッチの継続時間が所定時間（例えば、３秒）を経過したか否かを判定する。タッチの継続時間が所定時間を経過していない場合には、処理はステップＳ４３へ戻り、タッチの継続時間が所定時間を経過した場合には、処理はステップＳ４５へ移行する。
【０１０３】
ステップＳ４５では、検出部１２２が、タッチされた選択肢カード１０のカード情報を、第２制御装置１４０へ転送する。
【０１０４】
次に、ステップＳ４６で、表示制御部１２１が、情報処理システム１００により提供されるサービスの終了が指示されたか否かを判定し、終了が指示されていない場合には、処理はステップＳ４２に戻る。終了が指示されている場合には、第１制御処理は終了する。
【０１０５】
次に、図２７に示す第２制御処理について説明する。第２制御処理は、管理サーバ１１０から送信された背景情報を第２制御装置１４０が受信すると開始する。
【０１０６】
ステップＳ５１で、表示制御部１４１が、受信した背景情報が示す背景１２を第２表示装置１５０に表示する。ここで表示された背景１２は、ユーザ１０５の指示により変更可能としてもよい。例えば、背景１２の変更が指示された場合、第２制御装置１４０が管理サーバ１１０へ背景情報を要求する。そして、管理サーバ１１０が、背景ＤＢ１１５から前回送信した背景情報とは異なる背景情報を、第２制御装置１４０に送信する。
【０１０７】
次に、ステップＳ５２で、表示制御部１４１が、第１制御装置１２０からカード情報を受信したか否かを判定する。カード情報を受信している場合には、処理はステップＳ５３へ移行する。ここで受信するカード情報は、上述の第１制御処理において、第１表示装置１３０において選択された選択肢カード１０のカード情報が第１制御装置１２０により転送されたものである。ステップＳ５３では、表示制御部１４１が、受信したカード情報が示す選択肢カード１０を、背景１２上に表示し、処理はステップＳ５４へ移行する。一方、カード情報を受信していない場合には、ステップＳ５３の処理はスキップされ、ステップＳ５４へ移行する。
【０１０８】
ステップＳ５４では、受付部１４２が、第２表示装置１５０に表示された選択肢カード１０の表示位置、表示サイズ、及び角度の変更、テキストデータの入力、手書きツールを利用した描画等のユーザ１０５の操作、又は第１の操作を受け付けたか否かを判定する。操作を受け付けた場合には、処理はステップＳ５５へ移行し、受け付けていない場合には、処理はステップＳ５７へ移行する。
【０１０９】
ステップＳ５５では、受付部１４２が、上記ステップＳ５４で受け付けた操作が第１の操作か否かを判定することにより、第２表示装置１５０上で、検討対象の選択肢カード１０が選択されたか否かを判定する。受け付けた操作が第１の操作の場合には、処理はステップＳ６０へ移行し、その他の操作の場合には、処理はステップＳ５６へ移行する。
【０１１０】
ステップＳ５６では、受付部１４２が、受け付けたユーザ１０５の操作の内容を示す受付情報を表示制御部１４１に通知する。そして、表示制御部１４１が、受付情報に基づいて、選択肢カード１０の表示位置、表示サイズの変更、角度の変更、入力されたテキストデータの表示、描画された画像の表示等を行う。
【０１１１】
次に、ステップＳ５７で、作成部１４３が、ユーザ１０５によりビジョンの確定が指示されたか否かを判定する。ビジョンの確定が指示されると、処理はステップＳ５８へ移行する。ステップＳ５８では、作成部１４３が、第２表示装置１５０に表示された背景１２上での各選択肢カード１０の表示位置を取得する。そして、作成部１４３は、第２表示装置１５０に表示されている背景１２の背景ＩＤ、選択肢カード１０のカードＩＤ、求めた各選択肢カード１０の表示位置、入力されたテキストデータ、及び描画された手書きデータを含むビジョン情報を作成する。さらに、作成部１４３は、ログイン情報や本システム利用時の登録情報などから、ビジョンを作成したユーザグループのユーザグループＩＤを取得する。そして、取得したユーザグループＩＤを、作成したビジョン情報に付加して、管理サーバ１１０へ送信し、処理はステップＳ５９へ移行する。一方、ビジョンの確定が指示されていない場合には、ステップＳ５８の処理はスキップされ、ステップＳ５９へ移行する。
【０１１２】
ステップＳ５９では、受付部１４２が、情報処理システム１００により提供されるサービスの終了が指示されたか否かを判定する。終了が指示されていない場合には、処理はステップＳ５２に戻り、終了が指示されている場合には、第２制御処理は終了する。
【０１１３】
ステップＳ６０では、図２８に示す検討フェーズ処理が実行される。
【０１１４】
ステップＳ６１で、受付部１４２が、検討対象の選択肢カード１０を選択するための第１の操作により選択された選択肢カード１０のカードＩＤと、選択された時間情報とを含む選択開始を示す選択期間情報を管理サーバ１１０へ送信する。これにより、管理サーバ１１０において、選択期間情報が選択期間ＤＢ１１８に記憶される。
【０１１５】
次に、ステップＳ６２で、受付部１４２が、第１の操作により選択された検討対象の選択肢カード１０のカード情報と、選択開始を示す時間情報とを第３制御装置１６０へ送信する。
【０１１６】
次に、ステップＳ６３で、受付部１４２が、第１の操作により選択された選択肢カード１０のカードＩＤを含む選択情報を表示制御部１４１に通知する。表示制御部１４１は、例えば、図２９に示すように、通知された選択情報が示す選択肢カード１０を、第２表示装置１５０上に表示されている他の選択肢カード１０よりも表示サイズを大きくし、画面中央に配置する。図２９の例では、第２表示装置１５０に表示された選択肢カード１０Ａ、１０Ｂ、１０Ｃ、１０Ｄのうち、選択肢カード１０Ａに対して第１の操作が行われ、選択肢カード１０が検討対象として選択されたことを表す。また、図２９の例では、下段の図に示すように、検討対象の選択肢カード１０が選択されると、検討対象の選択肢カード１０を他の選択肢カード１０に重畳して表示すると共に、他の選択肢カード１０に対する操作を受け付けない状態にしている。
【０１１７】
次に、ステップＳ６４で、受付部１４２が、検討対象の選択肢カード１０に対する第２の操作を受け付けたか否かを判定することにより、検討対象の選択肢カード１０の選択が解除された否かを判定する。選択が解除された場合には、処理はステップＳ６５へ移行し、選択が解除されていない場合には、処理はステップＳ６８へ移行する。
【０１１８】
ステップＳ６５では、受付部１４２が、第２の操作により検討対象としての選択が解除された選択肢カード１０のカードＩＤと、選択が解除された時間情報とを含む選択終了を示す選択期間情報を管理サーバ１１０へ送信する。これにより、管理サーバ１１０において、選択期間情報が選択期間ＤＢ１１８に記憶される。
【０１１９】
次に、ステップＳ６６で、受付部１４２が、第２の操作により検討対象としての選択が解除された選択肢カード１０のカードＩＤと、選択終了を示す時間情報とを第３制御装置１６０へ送信する。
【０１２０】
次に、ステップＳ６７で、受付部１４２が、第２の操作により検討対象としての選択が解除された選択肢カード１０のカードＩＤを含む選択解除情報を表示制御部１４１に通知する。表示制御部１４１は、通知された選択解除情報が示す選択肢カード１０を、検討対象として選択される前の表示サイズ及び配置に戻す。
【０１２１】
次に、ステップＳ６８で、受付部１４２が、検討対象の選択肢カード１０を選択するための第１の操作を受け付けたか否かを判定する。第１の操作を受け付けた場合には、処理はステップＳ６１に戻り、受け付けていない場合には、処理はステップＳ６９へ移行する。
【０１２２】
ここで、本実施形態では、１枚目の検討対象の選択肢カード１０が選択された際に、図２９の下段に示すように、他の選択肢カード１０に対する操作を受け付けできないようにしている。また、検討対象の選択肢カード１０の表示サイズを大きくして中央に配置しているため、他の選択肢カード１０に対する操作を受け付け可能にしても、他の選択肢カード１０への操作が困難な場合がある。そこで、例えば、１枚の検討対象の選択肢カード１０が選択されると、表示制御部１４１が、図３０の上段に示すように、２枚目以降の検討対象の選択肢カード１０を選択する際に選択する選択追加アイコン１５を表示する。選択追加アイコン１５が選択されると、表示制御部１４１は、図３０の下段に示すように、他の選択肢カード１０への操作を受け付け可能に変更する。また、表示制御部１４１は、既に選択されている検討対象の選択肢カード１０を、例えば、他の選択肢カード１０との重複が最も少なくなる位置に移動させる。
【０１２３】
また、表示制御部１４１は、選択追加アイコン１５が選択されると、図３１に示すように、他の選択肢カード１０を一覧表示する一覧領域１６を画面の所定位置（図３１の例では、画面下部）に設け、一覧領域１６に他の選択肢カード１０のサムネイル画像を表示する。そして、一覧領域１６のいずれかのサムネイル画像へのタッチや、背景１２上へのドラックにより、２枚目以降の検討対象の選択肢カード１０が選択されるようにしてもよい。
【０１２４】
また、表示制御部１４１は、選択追加アイコン１５が選択されると、図３２の上段に示すように、一覧領域１６に、検討対象として選択されている選択肢カード１０のサムネイル画像を表示する。そして、表示制御部１４１は、背景１２上の他の選択肢カード１０に対する操作を受け付け可能にすると共に、検討対象として選択されている選択肢カード１０を一旦消去してもよい。この場合、背景１２上に配置された選択肢カード１０から、２枚目以降の検討対象の選択肢カード１０の選択を受け付ける。
【０１２５】
図３０の下段、図３１、又は図３２の上段の状態から、２枚目以降の検討対象の選択肢カード１０が選択されると、図３２の下段に示すように、表示制御部１４１は、拡大表示した複数の検討対象の選択肢カード１０を並べて画面上に配置する。なお、複数の検討対象の選択肢カード１０が選択された場合、選択された選択肢カード１０の枚数に応じて、選択肢カード１０を拡大するサイズを決定する。また、例えば、後から選択された検討対象の選択肢カード１０の表示サイズを、先に選択されていた検討対象の選択肢カード１０よりも大きくするなど、それぞれ異なるサイズに拡大してもよい。
【０１２６】
ステップＳ６９では、受付部１４２が、現在検討対象として選択されている選択肢カード１０が存在するか否かを判定する。検討対象の選択肢カード１０が存在する場合には、処理はステップＳ６４に戻り、存在しない場合には、処理は第２制御処理に戻る。
【０１２７】
次に、図３３に示す第３制御処理について説明する。第３制御処理は、管理サーバ１１０から送信された検出情報を第３制御装置１６０が受信すると開始する。
【０１２８】
ステップＳ７１で、表示制御部１６１が、受信した検出情報を画像化し、第３表示装置１７０にライブマップとして表示する。具体的には、検出情報（音圧及び脈拍）をグラフ化したライブマップ（例えば、図６）を表示する場合には、表示制御部１６１は、既に受信済みの検出情報に基づいて表示されているグラフに、新たに受信した検出情報が示す部分を追加表示する。なお、ユーザ１０５毎の脈拍をグラフ化して表示する際、ワークショップに参加しているユーザ１０５数が多い場合には、全てのユーザ１０５のグラフを表示すると煩雑になる。そこで、表示制御部１６１は、所定数（例えば、５人分）のグラフを時間分割して切り替えながら表示するようにしてもよい。また、表示を切り替える際には、先に表示しているグラフの濃度を徐々に薄くしていき、次に表示するグラフの濃度を徐々に濃くしていき、表示期間をオーバーラップさせて切り替えてもよい。
【０１２９】
また、ユーザ１０５の位置情報を示すライブマップ（例えば、図７）を表示する場合には、表示制御部１６１が、検出情報として受信した位置情報に対応するレイアウト図１４Ｅ上の座標値を計算する。そして、表示制御部１６１は、計算した座標値に、該当のユーザ１０５に割り当てたマーク１４Ｆを表示する。
【０１３０】
次に、ステップＳ７２で、表示制御部１６１が、第２制御装置１４０から送信されたカード情報及び時間情報を受信したか否かを判定する。受信した場合には、処理はステップＳ７３へ移行し、受信していない場合には、処理はステップＳ７７へ移行する。
【０１３１】
ステップＳ７３では、表示制御部１６１が、上記ステップＳ７２で受信した時間情報が選択開始を示す時間情報か否かを判定する。選択開始を示す時間情報の場合には、処理はステップＳ７４へ移行し、選択開始を示す時間情報ではない場合、すなわち、選択終了を示す時間情報の場合には、処理はステップＳ７６へ移行する。
【０１３２】
ステップＳ７４では、表示制御部１６１が、受信したカード情報が示す選択肢カード１０を、選択開始を示す時間情報に対応するライブマップ上の位置に表示する。次に、ステップＳ７５で、表示制御部１６１が、選択肢カード１０の表示位置から、その選択肢カード１０の選択期間を示す描画１４Ｃを表示し、時間経過と共に、選択期間を示す描画１４Ｃを延伸させる処理を開始する。
【０１３３】
一方、ステップＳ７６では、表示制御部１６１が、該当の選択肢カード１０の選択期間を示す描画１４Ｃの延伸を、受信した時間情報が示す位置で停止する。
【０１３４】
次に、ステップＳ７７で、表示制御部１６１が、情報処理システム１００により提供されるサービスの終了が指示されたか否かを判定する。終了が指示されていない場合には、処理はステップＳ７１に戻り、終了が指示されている場合には、第３制御処理は終了する。
【０１３５】
次に、図３４に示す出力処理について説明する。
【０１３６】
ステップＳ８１で、出力部１１２が、レポート出力指示を受信したか否かを判定する。レポート出力指示を受信した場合には、処理はステップＳ８２へ移行し、受信していない場合には、本ステップの判定を繰り返す。
【０１３７】
ステップＳ８２では、出力部１１２が、選択期間ＤＢ１１８に記憶された各選択期間情報に含まれるカードＩＤに対応するカード情報をカードＤＢ１１４から取得する。そして、出力部１１２は、取得したカード情報が示す選択肢カード１０を、選択期間ＤＢ１１８の「選択開始」が示す時間情報の時系列順に配置したレポートを作成する。
【０１３８】
次に、ステップＳ８３で、出力部１１２が、レポートに配置した選択肢カード１０毎に、各選択肢カード１０の選択期間を選択期間ＤＢの「選択開始」及び「選択終了」から特定する。そして、出力部１１２は、特定した選択期間に検出された検出情報を検出情報ＤＢ１１７から取得する。さらに、出力部１１２は、検出情報毎に、選択期間単位で集計する。例えば、出力部１１２は、選択期間内の音圧を累積して、レポートに「総合音圧」という項目として表示することができる。また、例えば、出力部１１２は、選択期間内の位置情報の変化量から、ユーザ１０５毎の移動距離を算出し、全ユーザにおける平均移動距離を算出してもよい。また、出力部１１２は、選択期間内の脈拍から、ユーザ１０５毎の平均を算出し、さらに、全ユーザにおける平均心拍数を算出してもよい。
【０１３９】
次に、ステップＳ８４で、出力部１１２が、レポート上の選択肢カード１０に、各検出情報に関連する項目の情報を対応付けて表示する。図３５にレポート１７の一例を示す。図３５の例では、レポート１７の最上段に、ビジョンに入力されたタイトル１７Ａが配置されている。また、選択肢カード１０が、第２表示装置１５０上で選択された順に縦方向に並べて配置され、各選択肢カード１０の横に項目表示領域１７Ｂが設けられ、検出情報や検出情報を集計した値が表示されている。なお、図３５の例では、項目として、上述した平均心拍数、平均移動距離、及び総合音圧が含まれている。また、選択肢カード１０の表示期間を、その選択肢カード１０について検討した検討時間として、レポートの項目に含めている。また、発話内容については、選択期間内に発話された発話内容がそのまま表示される。
【０１４０】
なお、複数の選択肢カード１０の選択期間が重複する場合は、第２表示装置１５０上で、検討対象の選択肢カード１０として、同時期に複数の選択肢カード１０が選択されたことを表す。この場合、図３５の例では、レポートでは、同時期に選択された複数の選択肢カード１０を横並びに並べたり、複数の選択肢カード１０を枠で囲んだりするなどして、同時期に選択された複数の選択肢カード１０であることを表すようにしてもよい。また、この場合、重複する選択期間を有する複数の選択肢カード１０のうち、最初に選択された選択肢カード１０の選択開始から、最後に選択された選択肢カードの選択終了までの期間を、複数の選択肢カード１０群に対する１つの選択期間として扱うことができる。そして、レポートでは、この複数の選択肢カード１０群の選択期間に検出された検出情報に関連する項目の情報を、複数の選択肢カード１０群に対応付けるようにすればよい。
【０１４１】
また、選択されている選択肢カード１０の枚数が変わる箇所で選択期間を区切るようにしてもよい。例えば、選択開始がそれぞれ異なる３枚の選択肢カード１０（Ａ、Ｂ、Ｃとする）が、Ａ、Ｂ、Ｃの順で選択されたとする。この場合、Ａのみが選択されている選択期間、Ａ及びＢが選択されている選択期間、及びＡ、Ｂ、及びＣが選択されている選択期間のように区切ってもよい。そして、レポートでは、Ａのみが選択されている選択期間に検出された検出情報に関連する項目の情報は、Ａに対応付けて表示する。同様に、Ａ及びＢのみが選択されている選択期間に検出された検出情報に関連する項目の情報は、Ａ及びＢに対応付けて表示する。また、同様に、Ａ、Ｂ、及びＣが選択されている選択期間に検出された検出情報に関連する項目の情報は、Ａ、Ｂ、及びＣに対応付けて表示することができる。
【０１４２】
レポートに含める項目は図３５の例に限らず、他の集計値等を用いてもよい。また、図６に示すライブマップにように、脈拍や音圧等を画像化して項目表示領域１７Ｂに配置してもよい。また、検出情報に関連する項目以外にも、選択された選択肢カード１０に関連する項目をレポートに含めてもよい。例えば、選択肢カード１０毎に、他のワークショップにおいて検討対象として選択された回数の情報を保持しておき、この回数が多いほど高くなる人気度をレポートの項目としてもよい。また、選択肢カード１０の第２表示装置１５０上での表示サイズや、第２表示装置１５０上での配置や移動回数などをレポートの項目としてもよい。
【０１４３】
次に、ステップＳ８５で、出力部１１２が、変更情報ＤＢ１１９を参照して、変更情報が記憶されているか否かを判定する。変更情報が記憶されている場合には、処理はステップＳ８６へ移行し、出力部１１２が、変更情報ＤＢ１１９に記憶されている「カードＩＤ」及び「項目」で特定される変更箇所に「変更内容」を反映させる。一方、変更情報が記憶されていない場合には、ステップＳ８６の処理はスキップされる。
【０１４４】
次に、ステップＳ８７で、出力部１１２が、管理サーバ１１０の表示部などに作成したレポートを表示し、レポートに含まれる各項目の情報に対する変更を受け付ける。変更を受け付けた場合には、処理はステップＳ８８へ移行し、出力部１１２が、変更箇所に対応する選択肢カード１０の「カードＩＤ」、及び「項目」に対応付けて、変更内容を変更情報ＤＢ１１９に記憶する。一方、変更が受け付けられなかった場合には、ステップＳ８８の処理はスキップされる。
【０１４５】
次に、ステップＳ８９で、出力部１１２が、情報処理システム１００により提供されるサービスの終了が指示されたか否かを判定する。終了が指示されていない場合には、処理はステップＳ８１に戻り、終了が指示されている場合には、出力処理は終了する。
【０１４６】
以上説明したように、本実施形態に係る情報処理システムによれば、ワークショップが行われている会場やユーザの状態を示す検出情報を検出する。また、第１表示装置上に表示されている複数の選択肢カードから複数のユーザの各々により選択された選択肢カードが第２表示装置に転送され表示される。そして、第２表示装置上に表示された選択肢カードから検討対象を選択するという１つの契機に応じて、その選択肢カードを拡大表示すると共に、選択肢カードの選択期間に検出された検出情報を選択肢カードとを対応付けて記憶する。これにより、検討対象の選択肢カードの視認性が向上し、現在検討されている選択肢カードがどれであるかということを、複数のユーザ間で共通認識として把握することができる。また、検討対象として選択された選択肢カードと検出情報とが対応付けて記憶されているため、ワークショップの振り返りなどで、この対応付けて記憶された情報を使用することにより、検討対象の選択肢カードについて行われた検討内容の把握が容易になる。
【０１４７】
また、検討対象として選択された選択肢カードと検出情報とを対応付けたレポートを作成するため、どの選択肢カードについて、どのような検討を行い、その時にどのような状況であったかを容易に把握することができる。また、レポートにおいて、選択肢カードを、検討対象として選択した順に並べることで、ワークショップの流れも把握し易くなる。
【０１４８】
なお、上記実施形態では、第３表示装置上にライブマップとして検出情報を表示する場合について説明したが、これに限定されない。例えば、図３６に示すように、第２表示装置上で検討対象の選択肢カードが選択された際に、検出情報を確認するためのアイコン１８Ａを表示する。そして、このアイコン１８Ａが選択された際に、選択されたアイコン１８Ａに対応する検出情報をウィンドウ１８Ｂに表示することができる。この場合、管理サーバが、取得した検出情報を第３制御装置へ送信する場合と同様に、取得した検出情報を第２表示装置へ送信するようにするとよい。これにより、検討対象の選択肢カードを見ながら検討を行いつつ、現在の会場やユーザの状態を示す検出情報をリアルタイムで確認することができる。
【０１４９】
また、上記実施形態では、第２表示装置上で検討対象として選択された選択肢カードをライブマップ上に対応付けて表示する場合について説明したが、第１表示装置上で選択された選択肢カードをライブマップ上に表示してもよい。この場合、第１制御部の検出部が選択肢カードの選択を検出して、その選択肢カードのカード情報を第２制御装置へ転送する際に、第３制御装置へも転送するようにすればよい。また、この場合、第１表示装置上から選択された選択肢カード、すなわち、第２制御装置へ転送され、第２表示装置に表示される選択肢カードの枚数をライブマップ上に表示してもよい。第２表示装置に表示される選択肢カードの枚数は、第２表示装置上で作成されたビジョンを用いて検討を行う際に要する時間の目安となる。
【０１５０】
また、上記実施形態では、検討対象の選択肢カードと、その選択肢カードの選択期間に検出された検出情報に関連する項目の情報とを対応付けてレポートに表示する場合について説明したが、これ以外のレポートも出力するようにしてもよい。例えば、第２表示装置上で作成されたビジョンをそのままレポートとして出力してもよい。また、第２表示装置上の選択肢カードのうち、検討対象とならない選択肢カードが存在する場合も考慮して、第２表示装置上の選択肢カードの一覧をレポートとして出力してもよい。
【０１５１】
また、上記実施形態では、選択肢カードに対して、ダブルタッチ等の予め定めた操作が行われたか否かで、検討対象の選択肢カードが選択されたことを判定する場合について説明したが、これに限定されない。例えば、ユーザの視線を検出する視線センサや、ユーザの動きを認識するためのカメラ等を設ける。そして、ユーザの視線が所定時間以上滞留している選択肢カードや、所定数以上のユーザの視線が向けられている選択肢カードを、検討対象の選択肢カードとして判定してもよい。また、ユーザが選択肢カードに触れようとしている動作や、選択肢カードを指差している動作などが検出された場合に、その動作の対象となっている選択肢カードを、検討対象の選択肢カードとして判定してもよい。
【０１５２】
また、上記実施形態において、第２表示装置を複数設けてもよい。この場合、第２表示装置の各々に異なる背景を表示する。そして、第１表示装置から選択された選択肢カードを第２表示装置に転送する際に、いずれの第２表示装置に転送するかを選択したうえで転送する。これにより、例えば、現在の状況用のビジョンと将来の希望用のビジョン等のように、それぞれ異なるビジョンを異なる第２表示装置に表示させることができる。この場合、検討対象の選択肢カードの選択は、それぞれのビジョンに対して行えばよい。
【０１５３】
また、上記実施形態において、第１表示装置を複数設けて、複数の第１表示装置を連携して、１つの大型ディスプレイとして機能させてもよい。この場合、より多くの選択肢カードを表示することができる。
【０１５４】
また、上記実施形態において、手書きのメモなどをスキャナで読み取り、選択肢カードと同様の電子的なカード形式として、第２表示装置に表示してもよい。これにより、選択肢カードで表された選択肢にはない情報をビジョンに反映させることができる。
【０１５５】
また、上記実施形態では、第１表示装置１３０の表示制御を第１制御装置１２０が行い、第２表示装置１５０の表示制御を第２制御装置１４０が行い、第３表示装置１７０の表示制御を第３制御装置１２０が行う場合について説明したが、これに限定されない。例えば、管理サーバ１１０が、第１表示装置１３０、第２表示装置１５０、及び第３表示装置１７０の表示制御を行ってもよい。この場合、第１制御装置１２０の各機能部、第２制御装置１４０の各機能部、及び第３制御装置１６０の各機能部を、管理サーバ１１０に持たせればよい。
【０１５６】
なお、上記実施形態における管理サーバ１１０の管理部１１１は、開示の技術の記憶制御部の一例である。
【０１５７】
また、上記実施形態では、管理プログラム３０、第１制御プログラム５０、第２制御プログラム７０、及び第３制御プログラム９０が記憶部２３、４３、６３、８３に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記憶媒体に記憶された形態で提供することも可能である。
【０１５８】
以上の実施形態に関し、更に以下の付記を開示する。
【０１５９】
（付記１）
表示装置に表示された各々異なる内容が記述された複数のカードから選択された対象カードを、該対象カードに対する選択状態が継続している期間、前記表示装置上に表示されている他のカードよりも大きな表示サイズで表示し、
前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する
ことを含む処理をコンピュータが実行することを特徴とする情報処理方法。
【０１６０】
（付記２）
カードを選択する第１の操作を受け付けてから、カードの選択を解除する第２の操作を受け付けるまでの期間を、前記選択状態が継続している期間とすることを特徴とする付記１に記載の情報処理方法。
【０１６１】
（付記３）
前記第１の操作及び前記第２の操作の各々は、前記カード又は前記表示装置の所定の表示領域に対するタッチ、クリック、ダブルタッチ、ダブルクリック、ピンチ操作、又は長押しであることを特徴とする付記２に記載の情報処理方法。
【０１６２】
（付記４）
ユーザの視線が所定時間以上滞留しているカード、所定人数以上のユーザの視線が向けられたカード、カードを特定するユーザの動作が検出されたカードを、前記対象カードとすることを特徴とする付記１に記載の情報処理方法。
【０１６３】
（付記５）
複数の対象カードが選択された場合、選択された対象カードの数に応じて決定された表示サイズで前記選択された対象カードの各々を表示することを特徴とする付記１〜付記４のいずれか１項に記載の情報処理方法。
【０１６４】
（付記６）
１又は複数の対象カードの選択状態が継続している期間に、新たなカードが対象カードとして選択された場合、新たな対象カードを含め選択状態が継続している対象カードの数に応じて決定された表示サイズで前記新たな対象カードを表示すると共に、前記１又は複数の対象カードの表示サイズを調整して再表示することを特徴とする付記５に記載の情報処理方法。
【０１６５】
（付記７）
出力指示を受け付けたことに応じて、前記記憶領域に記憶された対象カードが示す内容と、前記記憶領域に記憶された検出情報に関連する項目の情報とを、対応関係を視認可能な状態で出力することを特徴とする付記１〜付記６のいずれか１項に記載の情報処理方法。
【０１６６】
（付記８）
前記対象カードが示す内容と前記項目の情報とを出力する際、前記対象カードが選択された順に出力することを特徴とする付記７に記載の情報処理方法。
【０１６７】
（付記９）
第１のタイミングで受け付けた出力指示に応じて出力された前記項目の情報に対する変更を受け付け、受け付けた変更内容で前記記憶領域に記憶された情報を更新し、
前記第１のタイミングよりも後の第２のタイミングで出力指示を受け付けると、第１の項目については、前記第２のタイミングまでに検出された検出情報に関連する情報を出力し、第２の項目については、前記第１のタイミングで受け付けた変更情報を出力する
ことを特徴とする付記７又は付記８に記載の情報処理方法。
【０１６８】
（付記１０）
前記検出情報は、前記場所における音圧、前記ユーザの脈拍、前記ユーザの発話内容、前記ユーザの動き、及び前記ユーザの位置情報の少なくとも１つを含むことを特徴とする付記１〜付記９のいずれか１項に記載の情報処理方法。
【０１６９】
（付記１１）
表示装置に表示された各々異なる内容が記述された複数のカードから選択された対象カードを、該対象カードに対する選択状態が継続している期間、前記表示装置上に表示されている他のカードよりも大きな表示サイズで表示する表示制御部と、
前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する記憶制御部と、
を含むことを特徴とする情報処理装置。
【０１７０】
（付記１２）
カードを選択する第１の操作を受け付けてから、カードの選択を解除する第２の操作を受け付けるまでの期間を、前記選択状態が継続している期間とすることを特徴とする付記１１に記載の情報処理装置。
【０１７１】
（付記１３）
前記第１の操作及び前記第２の操作の各々は、前記カード又は前記表示装置の所定の表示領域に対するタッチ、クリック、ダブルタッチ、ダブルクリック、ピンチ操作、又は長押しであることを特徴とする付記１２に記載の情報処理装置。
【０１７２】
（付記１４）
ユーザの視線が所定時間以上滞留しているカード、所定人数以上のユーザの視線が向けられたカード、カードを特定するユーザの動作が検出されたカードを、前記対象カードとすることを特徴とする付記１１に記載の情報処理装置。
【０１７３】
（付記１５）
前記表示制御部は、複数の対象カードが選択された場合、選択された対象カードの数に応じて決定された表示サイズで前記選択された対象カードの各々を表示することを特徴とする付記１１〜付記１４のいずれか１項に記載の情報処理装置。
【０１７４】
（付記１６）
前記表示制御部は、１又は複数の対象カードの選択状態が継続している期間に、新たなカードが対象カードとして選択された場合、新たな対象カードを含め選択状態が継続している対象カードの数に応じて決定された表示サイズで前記新たな対象カードを表示すると共に、前記１又は複数の対象カードの表示サイズを調整して再表示することを特徴とする付記１５に記載の情報処理装置。
【０１７５】
（付記１７）
出力指示を受け付けたことに応じて、前記記憶領域に記憶された対象カードが示す内容と、前記記憶領域に記憶された検出情報に関連する項目の情報とを、対応関係を視認可能な状態で出力する出力部を含むことを特徴とする付記１１〜付記１６のいずれか１項に記載の情報処理装置。
【０１７６】
（付記１８）
前記出力部は、前記対象カードが示す内容と前記項目の情報とを出力する際、前記対象カードが選択された順に出力することを特徴とする付記１７に記載の情報処理装置。
【０１７７】
（付記１９）
前記出力部は、第１のタイミングで受け付けた出力指示に応じて出力された前記項目の情報に対する変更を受け付け、受け付けた変更内容で前記記憶領域に記憶された情報を更新し、前記第１のタイミングよりも後の第２のタイミングで出力指示を受け付けると、第１の項目については、前記第２のタイミングまでに検出された検出情報に関連する情報を出力し、第２の項目については、前記第１のタイミングで受け付けた変更情報を出力することを特徴とする付記１７又は付記１８に記載の情報処理装置。
【０１７８】
（付記２０）
表示装置に表示された各々異なる内容が記述された複数のカードから選択された対象カードを、該対象カードに対する選択状態が継続している期間、前記表示装置上に表示されている他のカードよりも大きな表示サイズで表示し、
前記表示装置が配置された場所及び該場所に存在するユーザの少なくとも一方の状態を検出した検出情報のうち、前記選択状態が継続している期間に検出された検出情報を、前記対象カードと対応付けて記憶領域に記憶する
ことを含む処理をコンピュータに実行させることを特徴とする情報処理プログラム。
【符号の説明】
【０１７９】
１０   選択肢カード
１２   背景
１７   レポート
２０、４０、６０、８０      コンピュータ
２１、４１、６１、８１      ＣＰＵ
２２、４２、６２、８２      メモリ
２３、４３、６３、８３      記憶部
２９、４９、６９、８９      記録媒体
３０   管理プログラム
５０   第１制御プログラム
７０   第２制御プログラム
９０   第３制御プログラム
１００ 情報処理システム
１１０ 管理サーバ
１１１ 管理部
１１２ 出力部
１２０ 第１制御装置
１２１ 表示制御部
１２２ 検出部
１３０ 第１表示装置
１４０ 第２制御装置
１４１ 表示制御部
１４２ 受付部
１４３ 作成部
１５０ 第２表示装置
１６０ 第３制御装置
１６１ 表示制御部
１７０ 第３表示装置
１８０ センシングデバイス
１１４ カードデータベース（ＤＢ）
１１５ 背景ＤＢ
１１６ ビジョンＤＢ
１１７ 検出情報ＤＢ
１１８ 選択期間ＤＢ
１１９ 変更情報ＤＢ
【図１】
2018109893.tif 000003
【図２】
2018109893.tif 000004
【図３】
2018109893.tif 000005
【図４】
2018109893.tif 000006
【図５】
2018109893.tif 000007
【図６】
2018109893.tif 000008
【図７】
2018109893.tif 000009
【図８】
2018109893.tif 000010
【図９】
2018109893.tif 000011
【図１０】
2018109893.tif 000012
【図１１】
2018109893.tif 000013
【図１２】
2018109893.tif 000014
【図１３】
2018109893.tif 000015
【図１４】
2018109893.tif 000016
【図１５】
2018109893.tif 000017
【図１６】
2018109893.tif 000018
【図１７】
2018109893.tif 000019
【図１８】
2018109893.tif 000020
【図１９】
2018109893.tif 000021
【図２０】
2018109893.tif 000022
【図２１】
2018109893.tif 000023
【図２２】
2018109893.tif 000024
【図２３】
2018109893.tif 000025
【図２４】
2018109893.tif 000026
【図２５】
2018109893.tif 000027
【図２６】
2018109893.tif 000028
【図２７】
2018109893.tif 000029
【図２８】
2018109893.tif 000030
【図２９】
2018109893.tif 000031
【図３０】
2018109893.tif 000032
【図３１】
2018109893.tif 000033
【図３２】
2018109893.tif 000034
【図３３】
2018109893.tif 000035
【図３４】
2018109893.tif 000036
【図３５】
2018109893.tif 000037
【図３６】
2018109893.tif 000038